(57)【要約】【課題】テレビジョン放送用信号に含まれるキュー信号からクロック信号を生成する。【解決手段】テレビジョン放送用信号からキュー信号を抽出するキューフィルタ回路１８と、キューフィルタ回路１８で抽出されたキュー信号をパルス化する比較器２２と、を備えることによって、比較器２２の出力をクロック信号として供給することができる。【選択図】図１
2009017390.tif 000002
【特許請求の範囲】
【請求項１】
ステレオ音声信号又はバイリンガル音声信号を含むサブ信号と、サブ信号がステレオ音声信号又はバイリンガル音声信号かを示すキュー信号と、を含むテレビジョン放送用信号を処理する信号処理装置であって、
前記テレビジョン放送用信号からキュー信号を抽出するキューフィルタ回路と、
前記キューフィルタ回路で抽出されたキュー信号をパルス化する比較器と、を備え、
前記比較器の出力をクロック信号として供給することを特徴とする信号処理装置。
【請求項２】
請求項１に記載の信号処理装置であって、
前記テレビジョン放送用信号からサブ信号を抽出するサブフィルタ回路をさらに備え、
前記キューフィルタ回路は、前記サブフィルタ回路を通過した前記テレビジョン放送用信号からキュー信号を抽出することを特徴とする信号処理装置。
【請求項３】
請求項１又は２に記載の信号処理装置であって、
前記クロック信号を前記キューフィルタ回路で抽出されたキュー信号の処理に使用することを特徴とする信号処理装置。
【発明の詳細な説明】
【技術分野】
【０００１】
本発明は、音声多重放送信号の信号処理装置に関する。
【背景技術】
【０００２】
テレビジョン放送（ＴＶ）の復調用回路では、図４に示すように、モノラル音声を含むメイン信号、ステレオ音声信号（ＳＴ信号）又はバイリンガル音声信号（ＢＩ信号）を含むサブ信号、及び、サブ信号がＳＴ信号であるのかＢＩ信号であるのかを示すキュー信号を含む受信信号を復調する処理が行われる（例えば、特許文献１等）。
【０００３】
テレビジョン放送では、テレビジョン放送用信号にサブ信号が含まれている場合にはステレオ音声また２カ国語音声として判別し、サブ信号が含まれていない場合にはモノラル音声として判別して処理を行っている。
【０００４】
テレビジョン放送の復調用回路では、メイン信号の周波数帯域を抽出するメインフィルタ回路、サブ信号の周波数帯域を抽出するサブフィルタ回路、及び、キュー信号の周波数帯域を抽出するキューフィルタ回路を用いてテレビジョン放送用信号からメイン信号、サブ信号及びキュー信号を抽出して検波する処理が行われる。
【０００５】
【特許文献１】特開２００７−０９７０５６号公報
【発明の開示】
【発明が解決しようとする課題】
【０００６】
ところで、音声多重放送に対応したテレビジョン放送用の信号処理装置は一般的に半導体集積装置（ＩＣ）に組み込まれており、メイン信号、サブ信号及びキュー信号をロジック処理する際に半導体集積装置に外付けされた水晶発振器等からのクロック信号を受けて処理を行っている。また、水晶発振器等の外付け部品を用いることなく、内蔵フェーズロックループ回路によりクロック信号を発生させる構成も用いられている。
【０００７】
しかしながら、水晶発振器等の外付け部品は価格が高い。また、水晶発振器等を外付けすることによって信号処理装置の製造コストが高くなるという問題がある。さらに、フェーズロックループ回路を内蔵すると、信号処理装置の回路規模が大きくなる。また、回路の調整のためのザッピンク素子等を設ける必要がある。
【課題を解決するための手段】
【０００８】
本発明の１つの態様は、ステレオ音声信号又はバイリンガル音声信号を含むサブ信号と、サブ信号がステレオ音声信号又はバイリンガル音声信号かを示すキュー信号と、を含むテレビジョン放送用信号を処理する信号処理装置であって、前記テレビジョン放送用信号からキュー信号を抽出するキューフィルタ回路と、前記キューフィルタ回路で抽出されたキュー信号をパルス化する比較器と、を備え、前記比較器の出力をクロック信号として供給することを特徴とする信号処理装置である。例えば、前記キュー信号は、５５．０６９ｋＨｚのキャリア波のＡＭ変調信号である。
【０００９】
ここで、前記テレビジョン放送用信号からサブ信号を抽出するサブフィルタ回路をさらに備え、前記キューフィルタ回路は、前記サブフィルタ回路を通過した前記テレビジョン放送用信号からキュー信号を抽出することが好適である。
【００１０】
なお、前記クロック信号を前記キューフィルタ回路で抽出されたキュー信号の処理に使用することが好適である。
【発明の効果】
【００１１】
本発明によれば、テレビジョン放送用の信号処理装置の回路構成を簡素化することができる。
【発明を実施するための最良の形態】
【００１２】
本発明の実施の形態におけるテレビジョン放送用信号の信号処理装置１００は、図１に示すように、受信部１０、メインフィルタ回路１２、トラップ回路１４、サブフィルタ回路１６、キューフィルタ回路１８、キュー復調回路２０及び比較器２２を含んで構成される。
【００１３】
受信部１０は、アンテナ、増幅回路等を含んで構成される。受信部１０は、テレビジョン放送用信号を受信しメインフィルタ回路１２及びトラップ回路１４へ出力する。
【００１４】
メインフィルタ回路１２は、図４に示したテレビジョン放送用信号に含まれるメイン信号の周波数帯域を通過するフィルタである。例えば、メインフィルタ回路１２は、１５．７３４ｋＨｚ（１ｆＨ）以下の周波数帯域を通過するローパスフィルタとすることができる。さらに、メインフィルタ回路１２は、メイン信号の周波数に逆比例する電圧が出力されるように処理を施すディエンファシス回路を含むものとすることも好適である。メインフィルタ回路１２において抽出されたメイン信号はマトリクス回路（図示しない）や出力アンプ（図示しない）に入力される。
【００１５】
トラップ回路１４は、テレビジョン放送用信号に含まれる高周波ノイズ成分を除去するフィルタである。例えば、トラップ回路１４は、７０ｋＨｚ（４．５ｆＨ）以上の周波数帯域を除去するフィルタとすることが好適である。トラップ回路１４の出力はサブフィルタ回路１６及びキューフィルタ回路１８に入力される。
【００１６】
サブフィルタ回路１６は、テレビジョン放送用信号のうちサブ信号の周波数帯域のみを通過させるバンドパスフィルタである。例えば、サブフィルタ回路１６は、３１．４６８ｋＨｚを透過中心周波数として帯域幅±２０ｋＨｚ以上のバンドパスフィルタとすることができる。また、サブフィルタ回路１６は、フィルタで抽出されたサブ信号に対してディエンファシス処理を施すサブ・ディエンファシス回路、サブ信号の直流成分のレベルをメイン信号の直流成分のレベルに調整するＤＣレベル調整回路、サブ信号の交流成分のレベルをメイン信号の交流成分のレベルに調整するＡＣレベル調整回路等を含んでいることも好適である。サブフィルタ回路１６において抽出及び処理されたサブ信号はマトリクス回路（図示しない）や出力アンプ（図示しない）に入力される。
【００１７】
キューフィルタ回路１８は、テレビジョン放送用信号のうちキュー信号の周波数帯域のみを通過させるバンドパスフィルタである。キュー信号は、サブ信号がＳＴ信号であるのかＢＩ信号であるのかを示す信号であり、図４に示すように、ＳＴ信号の場合には５５．０６９ｋＨｚのキャリア波を９８２．５ＨｚでＡＭ変調し、ＢＩ信号の場合には９２２．５ＨｚでＡＭ変調した信号である。そこで、キューフィルタ回路１８は、例えば、５５．０６９ｋＨｚを透過中心周波数とするバンドパスフィルタとすることができる。キューフィルタ回路１８を通過したキュー信号はキュー復調回路２０及び比較器２２に入力される。
【００１８】
キュー復調回路２０は、キューフィルタ回路１８で抽出されたキュー信号をＡＭ復調する回路である。ＡＭ復調には、包絡線検波処理や同期検波処理があるが、本実施の形態では同期検波回路を例に説明する。同期検波回路は、図２に示すように、アンプ３０、検波器（ＶＤＥＴ）３２、自動位相調整器（ＡＰＣ）３４、電圧制御発振器（ＶＣＯ）３６、移相器３８、ＡＰＣフィルタ４０、トラップ回路４２、アンプ（ＶＡＭＰ）４４及び自動ゲイン調整器（ＡＧＣ）４６を含んで構成することができる。
【００１９】
入力端子から信号が入力されると、その信号はアンプ３０により増幅され、ＶＤＥＴ３２及びＡＰＣ３４へ入力される。ＡＰＣ３４、ＶＣＯ３６及び移相器３８はフェーズロックループ回路（ＰＬＬ回路）を構成しており、入力された信号に基づいて搬送波を再生する。移相器３８は、ＶＣＯ３６で発生した信号に対して±４５°の位相差を有する２つの信号を生成し、一方をＡＰＣ３４へ戻し、他方をＶＤＥＴ３２へ出力する。ＰＬＬ回路は、ＡＰＣ３４へ入力される２つの信号の位相差が９０°となるように制御を行う。ＡＰＣ３４は、９０°の位相差を有する入力信号をミキシングし、両信号の間の位相差と目標値となる９０°との位相ずれ量δに応じた電流ＩAPCを出力する。ＡＰＣ３４の出力端にはＡＰＣフィルタ４０が接続される。ＡＰＣフィルタ４０は抵抗及びコンデンサからなる積分回路であり、ＡＰＣ３４の出力信号に含まれる高周波成分をカットし、電流ＩAPCを時間的に平滑化してＶＣＯ３６の制御電圧を生成する。
【００２０】
アンプ３０からＡＰＣ３４へ入力される信号と移相器３８からＡＰＣ３４へ入力される信号との位相差をＰＬＬ回路によって＋９０°となるように制御すると、移相器３８からＶＤＥＴ３２へ入力される信号は、入力信号の搬送波と同じ周波数かつ位相差０°の再生搬送波となる。ＶＤＥＴ３２は、移相器３８からの再生搬送波を受けて、アンプ３０から入力される信号と再生搬送波をミキシングすることによって入力信号から信号を抽出して出力する。抽出された信号はトラップ回路４２及びＶＡＭＰ４４に入力される。トラップ回路４２は、信号に重畳して検波された音声搬送波信号等の不要波を除去するフィルタ回路を含んで構成される。ＶＡＭＰ４４は、トラップ回路４２によってフィルタリングされた信号とＶＤＥＴ３２から直接入力された信号との差動増幅を行って出力端子から出力する。また、ＶＡＭＰ４４から出力される信号はＡＧＣ４６へ入力される。ＡＧＣ４６は、出力される信号の強度に応じて入力側のアンプ３０のゲインを制御し、出力される信号の強度を適正レベルの範囲に調整する。
【００２１】
このとき、キュー復調回路２０は比較器２２から出力されるクロック信号ＣＬＫを用いて上記処理を行うものとすることが好適である。例えば、移相器３８やトラップ回路４２における基準信号としてクロック信号ＣＬＫを用いることが好適である。
【００２２】
比較器２２は、キューフィルタ回路１８からの出力を受けて、その出力信号と所定の基準電圧との比較によってレベル検出を行い、キュー信号の搬送波の周波数（５５．０６９ｋＨｚ）と同じ周波数で変化するクロック信号ＣＬＫを生成する。例えば、出力信号が基準電圧以上である場合には１を出力し、出力信号が基準電圧より小さい場合には０を出力する。また、出力信号が基準電圧以下である場合には１を出力し、出力信号が基準電圧より大きい場合には０を出力する。
【００２３】
図３を参照して、比較器２２における処理の例を説明する。この例では、基準電圧を０Ｖとしてレベル検出を行っている。すなわち、キュー信号の信号強度が０Ｖ以上であるとき（図３中のハッチングで示した期間）には比較器２２から出力されるクロック信号ＣＬＫはハイレベル（１）とされ、キュー信号の信号強度が０Ｖより小さいときには比較器２２から出力されるクロック信号ＣＬＫはローレベル（０）とされる。
【００２４】
本実施の形態における信号処理装置によれば、テレビジョン放送用信号に含まれるキュー信号からクロック信号ＣＬＫを生成することができる。生成されたクロック信号ＣＬＫは、キュー復調回路２０等に入力することによって信号処理に利用することができる。
【図面の簡単な説明】
【００２５】
【図１】本発明の実施の形態における信号処理装置の構成を示すブロック図である。
【図２】本発明の実施の形態におけるキュー復調回路の構成を示すブロック図である。
【図３】本発明の実施の形態における比較器によるクロック信号の生成を説明する図である。
【図４】テレビジョン放送用信号に含まれるメイン信号、サブ信号及びキュー信号のスペクトラムを示す図である。
【符号の説明】
【００２６】
１０  受信部、１２  メインフィルタ回路、１４  トラップ回路、１６  サブフィルタ回路、１８  キューフィルタ回路、２０  キュー復調回路、２２  比較器、３０  アンプ、３２  検波器（ＶＤＥＴ）、３４  自動位相調整器（ＡＰＣ）、３６  電圧制御発振器（ＶＣＯ）、３８  移相器、４０  ＡＰＣフィルタ、４２  トラップ回路、４４  アンプ（ＶＡＭＰ）、１００  信号処理装置。
【図１】
2009017390.tif 000003
【図２】
2009017390.tif 000004
【図３】
2009017390.tif 000005
【図４】
2009017390.tif 000006